(57)【特許請求の範囲】
【請求項１】
外壁板、通気層、断熱材層及び内板となるプレキャストコンクリート板からなる断熱ＰＣ壁板の該外壁板を支持する連結具であって、取付けボルトが埋め込まれたコンクリートブロックからなり、該取付けボルトの埋め込み部の下部には内蔵断熱材を有し、取付けボルトの突出側とは反対側の四隅には脚部が形成されてなることを特徴とする断熱ＰＣ壁板の連結具。
【請求項２】
前記コンクリートブロックの上方の縁部が切り欠かれ、且つ該コンクリートブロックの周面が外殻鋼材で補強されたものである請求項１記載の断熱ＰＣ壁板の連結具。
【請求項３】
外壁板、通気層、断熱材層及び内板となるプレキャストコンクリート板からなる断熱ＰＣ壁板の該外壁板を支持する連結具であって、取付けボルトが埋め込まれたコンクリートブロックと、該取付けボルトの埋め込み部の周りに、該取付けボルトの埋め込み部とは離間して埋め込まれ、取付けボルトの突出側とは反対側に突出する４本の埋め込み支持鉄筋と、を有してなることを特徴とする断熱ＰＣ壁板の連結具。
【請求項４】
前記４本の埋め込み支持鉄筋は、突出側が斜め筋である場合、該埋め込み支持鉄筋を囲むようにフープ筋で接合されることを特徴とする請求項３記載の断熱ＰＣ壁板の連結具。
【請求項５】
前記４本の埋め込み支持鉄筋は、直筋である場合、該埋め込み支持鉄筋を囲むようにフープ筋で接合され、且つ互いに隣り合う埋め込み支持鉄筋同士をブレース筋で接合されることを特徴とする請求項３記載の断熱ＰＣ壁板の連結具。
【請求項６】
前記４本の埋め込み支持鉄筋の埋め込み部分の端部方向の延長線にあるコンクリートブロックの表面の四隅には、上面断熱材が付設されていることを特徴とする請求項３〜５のいずれか１項記載の断熱ＰＣ壁板の連結具。
【請求項７】
外壁板、通気層、断熱材層及び内板となるプレキャストコンクリート板からなる断熱ＰＣ壁板の該外壁板を支持する連結具であって、取付けボルトが埋め込まれたコンクリートブロックと、該取付けボルトの埋め込み部の周りに、少なくとも４本の直筋をリング筋で円周上、均等幅となるように取付けた第１組立鉄筋と、該第１組立鉄筋とは同形状物であって、上下逆さで、該第１組立鉄筋とは互いに離間して嵌め会うように取付けられる第２組立鉄筋とを有し、取付けボルトの突出側とは反対側の四隅には脚部が形成されてなることを特徴とする断熱ＰＣ壁板の連結具。
【発明の詳細な説明】
【０００１】
【発明の属する技術分野】
本発明は、外断熱を考慮した共同住宅、病院等の建築物の壁、柱、梁などに取り付けられる断熱ＰＣ（プレキャスト）壁板の外壁材を支持する連結具に関するものである。
【０００２】
【従来の技術】
冬場、壁がじっとり濡れる結露に悩まされる住宅は多い。見に見えない壁内部の結露も、かびの発生やアレルギーにつながるため、これらを防ぐための外断熱工法が注目を集めている。住宅、病院等の建築物の壁などをすっぽり断熱材で外側からくるむため、建物を長持ちさせる効果がある。このような外断熱工法として、予め工場で製造された断熱ＰＣ板を建物の壁等に取り付ける技術が種々提案されている。
【０００３】
【発明が解決しようとする課題】
従来、断熱ＰＣ板において、外壁板を連結具のボルトに後付けするような場合、先ず、内板となる１層目を形成するに際し、メッシュ状壁筋内に点在するように例えば、箱状の金属製連結具を配置し、次いで、上方に断熱材層と通気層部分を残して、コンクリートを打設して製造される。このような、断熱ＰＣ板に使用される金属製連結具は、強度と剛性が容易に確保できる点で都合がよい。しかしながら、連結ボルトや連結金具がヒートブリッジを形成するため、熱損失が大きいという問題があり、断熱ＰＣ板に使用する部材としては必ずしも十分なものであるとは言えなかった。
【０００４】
従って、本発明の目的は、外壁板を連結具のボルトに後付けするような断熱ＰＣ板で使用され、必要な強度と剛性を有し、且つヒートブリッジによる熱損失を最小限にすることができる連結具を提供することにある。
【０００５】
【課題を解決するための手段】
すなわち、本発明（１）は、外壁板、通気層、断熱材層及び内板となるプレキャストコンクリート板からなる断熱ＰＣ壁板の該外壁板を支持する連結具であって、取付けボルトが埋め込まれたコンクリートブロックからなり、該取付けボルトの埋め込み部の下部には内蔵断熱材を有し、取付けボルトの突出側とは反対側の四隅には脚部が形成されてなることを特徴とする断熱ＰＣ壁板の連結具を提供するものである。
また、本発明（２）は、前記コンクリートブロックの上方の縁部が切り欠かれ、且つ該コンクリートブロックの周面が外殻鋼材で補強されたものである前記（１）記載の断熱ＰＣ壁板の連結具を提供するものである。
また、本発明（３）は、外壁板、通気層、断熱材層及び内板となるプレキャストコンクリート板からなる断熱ＰＣ壁板の該外壁板を支持する連結具であって、取付けボルトが埋め込まれたコンクリートブロックと、該取付けボルトの埋め込み部の周りに、該取付けボルトの埋め込み部とは離間して埋め込まれ、取付けボルトの突出側とは反対側に突出する４本の埋め込み支持鉄筋とを有してなることを特徴とする断熱ＰＣ壁板の連結具を提供するものである。
また、本発明（４）は、前記４本の埋め込み支持鉄筋は、突出側が斜め筋で有る場合、該埋め込み支持鉄筋を囲むようにフープ筋で接合されることを特徴とする前記（３）記載の断熱ＰＣ壁板の連結具を提供するものである。
また、本発明（５）は、前記４本の埋め込み支持鉄筋は、直筋である場合、該埋め込み支持鉄筋を囲むようにフープ筋で接合され、且つ互いに隣り合う埋め込み支持鉄筋同士をブレース筋で接合されることを特徴とする前記（３）記載の断熱ＰＣ壁板の連結具を提供するものである。
また、本発明（６）は、前記４本の埋め込み支持鉄筋の埋め込み部分の端部方向の延長線にあるコンクリートブロックの表面の四隅には、上面断熱材が付設されていることを特徴とする前記（３）〜（５）記載の断熱ＰＣ壁板の連結具を提供するものである。
また、本発明（７）は、外壁板、通気層、断熱材層及び内板となるプレキャストコンクリート板からなる断熱ＰＣ壁板の該外壁板を支持する連結具であって、取付けボルトが埋め込まれたコンクリートブロックと、該取付けボルトの埋め込み部の周りに、少なくとも４本の直筋をリング筋で円周上、均等幅となるように組付けた第１組立鉄筋と、該第１組立鉄筋とは同形状物であって、上下逆さで、該第１組立鉄筋とは互いに離間して嵌め合うように組付けられる第２組立鉄筋とを有し、取付けボルトの突出側とは反対側の四隅には脚部が形成されてなることを特徴とする断熱ＰＣ壁板の連結具を提供するものである。
【０００６】
【発明の実施の形態】
本発明の第１の実施の形態における断熱ＰＣ壁板の連結具を図１〜図４を参照して説明する。図１は本例の断熱ＰＣ壁板の連結具を説明する図、図２は図１の連結具の底面図、図３は図１の連結具の斜視図及び図４は本例の連結具の断熱ＰＣ壁板における設置位置を説明する図である。図１において、連結具１ａは、取付けボルト３と、取付けボルト３が埋め込まれるコンクリートブロック２（以下、単に「ブロック」とも言う。）からなり、該取付けボルト３の埋め込み部３１の下部、すなわち、ボルト頭３３を含んだ下部には内蔵断熱材４が埋設されている。取付けボルト３の突出側３２は、外壁板１４と結合するため螺子が切られている。内蔵断熱材４の上面は、断熱材層１２と内板１１の境界部分と同一面にある。内蔵断熱材４の大きさ（容量）は、特に制限されず、図１〜図３に示すような局所的なものから、下部全体を断熱材とするものであってもよい。また、取付けボルト３の突出側とは反対側の底部は略十字形の切り欠き部２３によって形成される脚部２２を四隅に設けている。また、取付けボルト３は１本に限定されず、２本であてもよい。このような構造を採る断熱ＰＣ壁板の連結具１ａは、（１）断熱材層及び通気層を形成するに必要な空間を提供することができる。（2)コンクリートブロックを使用するため、必要な強度と剛性が容易に確保できると共に耐火性に優れる。（３）従来使用されていた金属製連結具に比べ、熱損失を大きく低減できる。（4)ブロックにスペーサー代わりに、脚部を設けるため、ブロックに埋め込んだ鉄筋のかぶり厚さが十分に確保でき、熱損失が低減されると共に、コンクリート打設時にブロック底部の切り欠き部２３にセメントペーストが流れ込むため、均一な表面に仕上げることができる。（5)連結具に埋め込んだボルトの直下に断熱を設けるため、ヒートブリッジを遮断することができる。
【０００７】
連結具１ａの設置位置を図４を参照して説明する。連結具１ａは図では省略する型枠内に配筋されたメッシュ状壁筋１０１内に点在するように複数配置される（図４（Ａ））。次いで、図４（Ａ）中の破線で示される厚さまで、コンクリートの打設が行われ内板１１が形成される（図４（Ｂ））。次いで、コンクリート上に断熱材層１２が付設される（図４（Ｃ））。この時、ブロックの僅かに突出する部分を残しておき、これを通気層１３とする。なお、後付けとなる外壁板１４は図４では省略されている。このように、連結具１ａは外壁板１４、通気層１３、断熱材層１２及び内板となるプレキャストコンクリート板１１からなる断熱ＰＣ壁板１０において、外壁板１４を支持するように設置される。
【０００８】
第１の実施の形態の変形例を図５に示す。図５（Ａ）の連結具１ｂは、四角状ブロックの四隅をカットし、埋め込みボルトの長さ部分を断面十字形状にし、カット部分には断熱材５を貼り付けたものである。この連結具１ｂによれば、剛性を確保しつつ、軽量化が図れ、且つ熱損失を低減することができる。図５（Ｂ）の連結具１ｃは、四角状ブロック２に代えて、円筒状ブロック２ａとしたものである。この連結具１ｃによれば、前期連結具１ａと同様の効果を奏する。図５（Ｃ）の連結具１ｄは、連結具１ｃの円筒状ブロック２ａの側面３か所をカットし、埋め込みボルトの長さ部分を断面変形三角形状にしたものである。この連結具１ｄによれば、剛性を確保しつつ、軽量化が図れる。なお、連結具１ｂの断熱材５は無くてもよい。
【０００９】
本発明の第２の実施の形態における断熱ＰＣ壁板の連結具を図６及び図７を参照して説明する。図６は本例の断熱ＰＣ壁板の連結具を説明する図、図７（Ａ）は図６の連結具の平面図、図７（Ｂ）は図６の連結具の底面図をそれぞれ示す。図６及び図７において、図１〜図３と同一構成要素には同一符号を付してその説明を省略し、異なる点について主に説明する。すなわち、図６の断熱ＰＣ壁板の連結具１ｅにおいて、連結具１ａと異なる点は、ボルト頭３３を含んだ下部にある内蔵断熱材４ａを下部全体に付設した点、コンクリートブロック２の上方の縁部には、その高さが通気層１３と同じの切り欠き部２４を設けると共に、コンクリートブロック２の周面を外殻鋼材６で補強した点にある。この連結具１ｅは、コンクリートブロック２の周面を外殻鋼材６で補強してあるため、連結具の強度がコンクリートブロックだけでは不足する場合に好適に使用できる。外殻鋼材６としては、構造用鋼材や炭素繊維（ＦＲＰ）角形引き抜き成型材が挙げられる。また、ヒートブリッジを回避するため、外殻鋼材６と取付けボルト３とは直接つながることなく、コンクリートブロック２を介しており、取付けボルト３の頭の下部には断熱材４ａが埋設され、外殻鋼材６の頂部は切り欠き部２４により、外板１４との接触を回避している。このような構成を採る連結具１ｅは、更に、上記（1)〜（5)の効果を奏することができる。
【００１０】
本発明の第３の実施の形態における断熱ＰＣ壁板の連結具を図８及び図９を参照して説明する。図８は本例の断熱ＰＣ壁板の連結具を説明する図、図９（Ａ）は図８の連結具の平面図、図９（Ｂ）は図８の連結具の底面図をそれぞれ示す。図８及び図９中、断熱ＰＣ壁板の連結具１ｆは、取付けボルト３が埋め込まれたコンクリートブロック２と、該取付けボルト３の埋め込み部の周りに、取付けボルト３の埋め込み部とは離間して埋め込まれ、取付けボルト３の突出側とは反対側に突出する４本の直筋状の埋め込み支持鉄筋９ａ〜９ｄとを有してなる。埋め込み支持鉄筋９ａ〜９ｄはコンクリートブロック２内において、フープ筋７で固定されると共に、コンクリートブロック２外の裸鉄筋は、裸鉄筋の剛性を高めるため、互いに隣り合う埋め込み支持鉄筋同士を筋交いとなるブレース筋で接合される。すなわち、埋め込み支持鉄筋９ａと９ｂはブレース筋８ｂで接合され、埋め込み支持鉄筋９ｂと９ｃはブレース筋８ｃで接合され、埋め込み支持鉄筋９ｃと９ｄはブレース筋８ｄで接合され、埋め込み支持鉄筋９ｄと９ａはブレース筋８ａで接合される。ブレース筋８ａ〜８ｄが形成される領域はその半分が断熱材層１２にあり、他の半分とブレース筋の無い裸鉄筋の直筋部分が内板１１に埋設されるがこれに限定されない。更に、４本の埋め込み支持鉄筋９ａ〜９ｄの埋め込み部分の端部方向の延長線にあるコンクリートブロックの表面の四隅には、ブロック状の断熱材５１が付設されている。本例の連結具１ｆにおいて、取付けボルト３は２本であってもよく、また、断熱材５１の付設は省略してもよい。この断熱ＰＣ壁板の連結具１ｆは、コンクリートブロック部分をできるだけ削ぎ落とし、剛性を保持する裸鉄筋とすることで熱損失を最小限とし、更に、ブロック部分では鉄筋と取付けボルト３との直接接触は無く、コンクリートを介しており、また、埋め込み支持鉄筋９ｂと９ｃの端部には熱伝達防止のための断熱材があるか、あるいは切り欠き部であるため、ヒートブリッジを回避している。このような構成を採る連結具１ｆは、更に、上記（1)〜（3)の効果を奏することができる。
【００１１】
本発明の第４の実施の形態における断熱ＰＣ壁板の連結具を図１０及び図１１を参照して説明する。図１０は本例の断熱ＰＣ壁板の連結具を説明する図、図１１は図１０の連結具の平面図をそれぞれ示す。図１０及び図１１において、図８、図９と同一構成要素には同一符号を付してその説明を省略し、異なる点について主に説明する。すなわち、本例の断熱ＰＣ壁板の連結具１ｇにおいて、連結具１ｆと異なる点は、埋め込み支持鉄筋の裸鉄筋部分を外広がりの斜め筋１７ａ〜１７ｄとした点、ブレース筋を使用しない点及びフープ筋を７ａ〜７ｂの２個使用した点にある。すなわち、埋め込み支持鉄筋の等鉄筋部分を外広がりの斜め筋１７ａ〜１７ｄとすることにより、地震などの水平方向の外力及び自重などの垂直方向の外力に対抗することができ、前記連結具１ｅと同様の効果を奏することができる。この連結具１ｇにおいても、取付けボルト３は２本であってもよく、また、上面断熱材５１の付設は省略してもよい。
【００１２】
本発明の第５の実施の形態における断熱ＰＣ壁板の連結具を図１２及び図１３を参照して説明する。図１２は本例の断熱ＰＣ壁板の連結具を説明する図、図１３は図１２の連結具の平面図をそれぞれ示す。図１２及び図１３において、図１０及び図１１と同一構成要素には同一符合を付してその説明を省略し、異なる点について主に説明する。すなわち、本例の断熱ＰＣ壁板の連結具１ｈにおいて、連結具１ｇと異なる点は、埋め込み支持鉄筋１８ａ〜１８ｄの裸鉄筋部分の内、断熱材層１２領域においては斜め筋１８１ａ〜１８１ｄを配し、内板のプレキャストの埋め込み部分においては斜め筋１８１ａ〜１８１ｄ及び該斜め筋から垂直となるように屈曲させた直筋１８２ａ〜１８２ｄを配したものである。この断熱ＰＣ壁板の連結具１ｈによれば、前記連結具１ｇと同様の効果を奏する他、連結具１ｇの製作において、斜め筋がメッシュ状壁筋１０１に巧く納まらない場合に有効である。この連結具１ｈにおいても、取付けボルト３は２本であってもよく、また、上面断熱材５１の付設は省略してもよい。
【００１３】
本発明の第６の実施の形態における断熱ＰＣ壁板の連結具を図１４及び図１５を参照して説明する。図１４は本例の断熱ＰＣ壁板の連結具を説明する図、図１５は図１４の連結具の平面図をそれぞれ示す。図１４及び図１５において、断熱ＰＣ壁板の連結具１ｉは、取付けボルト３が埋め込まれたコンクリートブロック２と、取付けボルト３の埋め込み部の周りに、少なくとも４本の直筋１９ａ〜１９ｄをリング筋７１ａ、７１ｂで円周上、均等幅となるように組付けた第１組立鉄筋１９と、第１組立鉄筋１９とは同形状物であって、上下逆さで、第１組立鉄筋１９とは互いに離間して嵌め合うように組付けられる第２組立鉄筋２０とを有し、取付けボルト３の突出側とは反対側の四隅には脚部２２が形成されてなる。すなわち、第１組立鉄筋１９において、リング筋７１ａ、７１ｂは４本の直筋１９ａ〜１９ｄの上方に接合されており、該第１組立鉄筋１９に対して、第２組立鉄筋２０を水平方向に４５度回転させ、第２組立鉄筋２０のリング筋７２ａ、７２ｂを第１組立鉄筋１９の４本の直筋１９ａ〜１９ｄ近傍まで嵌め合うように組付けられる。このような鉄筋の組立構造によれば、平面視８本の直筋１９ａ〜１９ｄ及び２０ａ〜２０ｄは同一径の円周上に配置されることになり、連結具１ｉの剛性を保持しつつ、第１組立鉄筋１９と第２組立鉄筋２０の連続性が遮断され、ヒートブリッジを回避することができる。また、連結具１ｉの取付けボルト３の下方には内蔵断熱材が付設されていてもよい。この断熱ＰＣ壁板の連結具１ｉによれば、上記（1)〜（4)の効果を奏することができる。
【００１４】
【発明の効果】
本発明によれば、必要な強度と剛性を有し、且つヒートブリッジによる熱損失を最小限にすることができる。
【図面の簡単な説明】
【図１】第１例における断熱ＰＣ壁板の連結具を説明する図である。
【図２】図１の連結具の底面図である。
【図３】図１の連結具の斜視図である。
【図４】図１の連結具の断熱ＰＣ壁板における設置位置を説明する図である。
【図５】第１例の変形例を示す斜視図である。
【図６】第２例における断熱ＰＣ壁板の連結具を説明する図である。
【図７】（Ａ）は図６の連結具の平面図、（Ｂ）は底面図をそれぞれ示す。
【図８】第３例における断熱ＰＣ壁板の連結具を説明する図である。
【図９】（Ａ）は図８の連結具の平面図、（Ｂ）は底面図をそれぞれ示す。
【図１０】第４例における断熱ＰＣ壁板の連結具を説明する図である。
【図１１】図１０の連結具の平面図を示す。
【図１２】第５例における断熱ＰＣ壁板の連結具を説明する図である。
【図１３】図１２の連結具の平面図を示す。
【図１４】第６例における断熱ＰＣ壁板の連結具を説明する図である。
【図１５】第１４の連結具の平面図を示す。
【符号の説明】
１ａ〜１ｉ        連結具
２、２ａ、２ｂ    コンクリートブロック
３                取付けボルト
４                内蔵断熱材
５、５１          断熱材
６                外殻鋼材
７、７ａ、７ｂ    フープ筋
８ａ〜８ｄ        ブレース筋
９ａ〜９ｄ、１７ａ〜１７ｄ、１８ａ〜１８ｄ    埋め込み支持鉄筋
１０                断熱ＰＣ板
１１                内板
１２                断熱材層
１３                通気層
１４                外板
１９                第１組立鉄筋
２０                第２組立鉄筋
２２                脚部
２３                切り欠き部
３１                埋め込み部
３３                ボルト頭
【図１】
0004615761.tif 000002
【図２】
0004615761.tif 000003
【図３】
0004615761.tif 000004
【図４】
0004615761.tif 000005
【図５】
0004615761.tif 000006
【図６】
0004615761.tif 000007
【図７】
0004615761.tif 000008
【図８】
0004615761.tif 000009
【図９】
0004615761.tif 000010
【図１０】
0004615761.tif 000011
【図１１】
0004615761.tif 000012
【図１２】
0004615761.tif 000013
【図１３】
0004615761.tif 000014
【図１４】
0004615761.tif 000015
【図１５】
0004615761.tif 000016